(57)【要約】【課題】シリンダ錠の側面に設けられたカバー部材と扉面との隙間に取り付けられ、扉面に設けられたシリンダ錠挿入孔の露出を防止するシリンダ錠の防犯スペーサーを提供する。【解決手段】一端部を可動可能に連結し、シリンダ錠６を挿通可能な貫通孔２ａを形成するように湾曲して形成された一対の板状部材から構成された略半円弧状のスペーサー部材２の他端部を相互に係合可能なロック機構を有するロック部４からなるシリンダ錠６の防犯スペーサー１を構成した。【選択図】　　　　図４
2004137828.tif 000002
【特許請求の範囲】
【請求項１】
扉面に露出して取り付けられるシリンダ錠と、前記シリンダ錠を出没自在に付勢する圧縮バネを有し、前記シリンダ錠の前記扉面に対する突出量に応じてスライド可能に前記シリンダ錠の側面に取り付けられたカバー部材と、前記カバー部材と前記扉面との間に装着することにより、前記カバー部材が前記扉面から離れる方向にスライド不可能とし、前記扉面に形成された前記シリンダ錠挿入孔を前記扉面に露出しないように前記シリンダ錠のシリンダ外筒に取り付けられるシリンダ錠の防犯スペーサーにおいて、一端部を可動可能に連結され、前記シリンダ錠を挿通可能な貫通孔を形成するように湾曲して形成された一対の板状部材から構成されている略半円弧状のスペーサー部材と、前記スペーサー部材の他端部に設けられ、他端部を相互に係合可能なロック機構を有するロック部とにより構成され、前記シリンダ錠を前記扉面に取り付けた状態で前記カバー部材を前記扉面から離す方向にスライドさせて、前記カバー部材と前記扉面の間に前記ロック部を係合することにより、前記シリンダ錠の前記シリンダ外筒に取り付け可能としたことを特徴としたシリンダ錠の防犯スペーサー。
【請求項２】
前記スペーサー部材は一対の板状部材である内面板と、前記内面板の表面に一体的に固着された外面板と、前記ロック部が係合したときに当接する前記内面板の接合部を設け、前記内面板と前記ロック部を前記外面板で覆うと共に、前記ロック部を前記接合部から離れた位置に設けたことを特徴とした請求項１に記載のシリンダ錠の防犯スペーサー。
【請求項３】
前記接合部は相互に半径方向で重複して当接するように前記内面板の他端部に設けたことを特徴とした請求項１又は請求項２に記載のシリンダ錠の防犯スペーサー。
【請求項４】
前記スペーサー部材の表面に取り付け可能に湾曲して形成された一対の板状部材から構成されている補助部材を設け、前記補助部材は前記ロック部を係合させない状態で前記スペーサーに取り付け可能に分割して形成されていることを特徴とした請求項１乃至請求項３に記載のシリンダ錠の防犯スペーサー。
【発明の詳細な説明】
【０００１】
【発明が属する技術分野】
本発明は、シリンダ錠の側面に設けられたカバー部材と扉面との隙間に取り付けられ、扉面に設けられたシリンダ錠挿入孔の露出を防止する防犯スペーサーに関するものである。
【０００２】
【従来の技術】
【特許文献１】
実開昭５８−８１２５８号公報
【０００３】
住宅用の玄関扉に取り付けられるシリンダ錠は、上記特許文献１のようにシリンダ錠（シリンダー１）に予め圧縮バネ（バネ５）とカバー部材（シリンダーカラー６）が一体的に取り付けられており、扉厚の変化に応じてカバー部材がシリンダ錠に対してスライド可能とされているため、どのような扉厚の扉にシリンダ錠を取り付ける場合でも、カバー部材がシリンダ錠の取り付け位置に応じてスライドしてカバー部材が扉面に密着して取り付けられる構成とされている。すなわち、シリンダ錠を数種の扉厚に対応させて容易に取り付けることができるようになっている。
【０００４】
【発明が解決しようとする課題】
しかしながら、特許文献１のように構成したシリンダ錠は図７（ａ）、（ｂ）に示すように扉５２の扉面５２ａにシリンダ錠５０を取り付けた状態でも、カバー部材５１を図示しない圧縮バネの付勢力に抗して扉面５２ａから引き離すことができてしまうという欠点があった。そのため、シリンダ錠挿入孔５３を扉面５２ａに露出させることができてしまうため、その露出したシリンダ錠挿入孔５３から、針金等の細い部材を差し込むことによって、シリンダ錠５０に連結されている扉錠５４の図示しないロック装置を直接操作することが可能となり、不正に扉錠５４が解錠されてしまうという問題が生じてしまっていた。
【０００５】
この場合、上記したロック装置が外部から容易に操作できないように扉錠５４の錠ケース５５を隙間が生じないように構成することが好ましいが、扉面５２ａのシリンダ錠５０の周囲に図７（ｃ）に示すように化粧板５６を取り付ける場合などには、その化粧板５６を扉面５２ａに取り付けるための固定シャフト５６ａが干渉しないように錠ケース５５の上下側面に切欠穴５５ａを設けなければならない場合もあるため、扉錠５４に応じて対策を講じなければならなかった。また、すでに扉面５２ａに取り付けられているシリンダ錠５０または扉錠５４を交換するには専門的な知識を必要とするため、誰でも簡単に交換することはできず、交換費用が高額なものとなってしまっていた。
【０００６】
また、リング状に形成された鋼板リング５７をカバー部材５１と扉面５２ａの間に取り付けることも考えられているが、そのような鋼板リング５７を取り付けるためには、シリンダ錠５０を取り外さなければならなくなってしまうので、誰でも簡単に取り付けられるものではない。また、図７（ｄ）に示すようにその鋼板リング５７を分割して相互に噛み合うように係合させるようすることも考えられているが、防犯上、鋼板リング５７が容易に外れないように噛み合い部５７ａを強固に嵌合させる必要があるため、鋼板リング５７を相互に工具を使用して強固に嵌合させなければならなくなってしまっていた。
【０００７】
【課題を解決するための手段】
前記課題を解決するため、本発明のシリンダ錠の防犯スペーサーは、扉面に露出して取り付けられるシリンダ錠と、前記シリンダ錠を出没自在に付勢する圧縮バネを有し、前記シリンダ錠の前記扉面に対する突出量に応じてスライド可能に前記シリンダ錠の側面に取り付けられたカバー部材と、前記カバー部材と前記扉面との間に装着することにより、前記カバー部材が前記扉面から離れる方向にスライド不可能とし、前記扉面に形成された前記シリンダ錠挿入孔を前記扉面に露出しないように前記シリンダ錠のシリンダ外筒に取り付けられるシリンダ錠の防犯スペーサーにおいて、一端部を可動可能に連結され、前記シリンダ錠を挿通可能な貫通孔を形成するように湾曲して形成された一対の板状部材から構成されている略半円弧状のスペーサー部材と、前記スペーサー部材の他端部に設けられ、他端部を相互に係合可能なロック機構を有するロック部とにより構成され、前記シリンダ錠を前記扉面に取り付けた状態で前記カバー部材を前記扉面から離す方向にスライドさせて、前記カバー部材と前記扉面の間に前記ロック部を係合することにより、前記シリンダ錠の前記シリンダ外筒に取り付け可能とした構成とされている。
【０００８】
すなわち、本発明によれば、シリンダ錠を扉面から取り外すことなく、スペーサー部材を扉面とカバー部材の間に装着し、ロック部を係合させればよいので、工具などを用いることなく、簡単に取り付けることができる。
【０００９】
また、本発明における前記スペーサー部材は一対の板状部材である内面板と、前記内面板の表面に一体的に固着された外面板と、前記ロック部が係合したときに当接する前記内面板の接合部を設け、前記内面板と前記ロック部を前記外面板で覆うと共に、前記ロック部を前記接合部から離れた位置に設けた構成とされている。
【００１０】
このようにスペーサー部材を構成することによって、内面板とロック部を外面板で覆って隠すことができるので、どの位置にロック部が設けられているかを容易に判断できないようにすることができる。
【００１１】
さらに、本発明における前記接合部は相互に半径方向で重複して当接するように前記内面板の他端部に設けた構成とされている。
【００１２】
このように接合部を重複させて当接することによって、接合部からの不正なロック部の解除を防止することができる。
【００１３】
また、前記スペーサー部材の表面に取り付け可能に湾曲して形成された一対の板状部材から構成されている補助部材を設け、前記補助部材は前記ロック部を係合させない状態で前記スペーサーに取り付け可能に分割して形成された構成とされている。
【００１４】
このような補助部材を設けることによって、扉面とカバー部材の間に生じる隙間量に応じて、スペーサー部材の厚さを簡単に調節することができる。
【００１５】
【発明の実施の形態】
以下、この発明の実施の形態について図１〜図６に基づいて説明する。
【００１６】
図１（ａ）は本実施例に係る防犯スペーサー１の解除状態を示す分解斜視図であり、図１（ｂ）は補助部材２７、２８を取り付けていない場合のロック状態を示す斜視図、図１（ｃ）は補助部材２７、２８を取り付けた場合のロック状態を示す斜視図である。２はスペーサー部材、２７、２８は補助部材、２ａはシリンダ錠６が挿通される貫通孔である。図２はそのスペーサー部材２の分解斜視図である。図３は外面板１１の一方を取り外し、ロック部４を露出させたものであり、図３（ａ）はスペーサー部材２の解除状態を示す一部断面図、図３（ｂ）は、そのロック状態を示す一部断面図、図３（ｃ）はそのスペーサー部材２に補助部材２７、２８を取り付けた場合のロック部４がロック状態を示す一部断面図ある。また、図４（ａ）、（ｂ）、（ｃ）は扉面５ａとシリンダ錠６のカバー部材７との間に防犯スペーサー１が取り付けられる前後の状態を示す斜視図である。なお、シリンダ錠６は扉５に内蔵された扉錠８に連結され、図示しない正規キーによってシリンダ錠６を回動させることによって扉錠８のロックボルト８ａを出没させるようになっている。図５は厚さが異なる補助部材２７、２８を示す斜視図である。図６はシリンダ錠６からスペーサー部材２を取り外したときの分解斜視図である。
【００１７】
図２に示すスペーサー部材２はステンレス等の耐食性の強い鋼板で形成された板状部材である一対の湾曲した略半円弧状の内面板９、１０と、その内面板９、１０と同様に鋼板を湾曲させて略半円弧状に形成された一対の外面板１１、１２により構成されている。その一対の外面板１１、１２は内面板９、１０を挟み込むように内面板９、１０の両面にそれぞれ２枚取り付けられ、複数の固定ピン２６によって一体的に固定されている。この内面板９、１０の内周面９ａ、１０ａと外面板１１、１２の内周面１１ａ、１２ａは各々連結されることにより、シリンダ錠６が挿通可能な貫通孔２ａを形成するように構成されている。なお、本実施例では外面板１１、１２をそれぞれ２枚ずつ設けるようにしたが、内面板９、１０を差し込み可能に一枚の鋼板をコ字状に曲げて形成したものとしてもよい。
【００１８】
一方の内面板９の一端には内周面９ａ側が所定の範囲で切欠かれた係合端１５が設けられており、この係合端１５の内周側面１５ｃは外面板１１が取り付けられることによって、後述する他方の内面板１０の係合片１３が挿入可能な挿入溝１４を構成する。また、この係合端１５には略Ｕ字状に曲げられたロックスプリング１６が装着可能なＵ形溝１７と、そのロックスプリング１６によって挿入溝１４に突出するように付勢されるロック片１８が装着される略半円状の凹溝１９が形成されている。また、係合端１５の先端には後述する防御片２１と半径方向で重複するように係止部２０と当接する当接片１５ａが設けられている。そして、凹溝１９は当接片１５ａから離れた位置に設けられており、後述するロック片１８の規制部１８ｄが所定の回動位置で当接する保持部１９ａがＵ形溝１７に対向するように凹溝１９の開口端の一端から円周方向に突出して設けられている。なお、Ｕ形溝１７に装着されるロックスプリング１６は一端が短く、他端が延長されて長く形成されており、短い一端がＵ形溝１７内に係合し、延長された長い他端が、挿入溝１４に向かって突出するようにＵ形溝１７に取り付けられる。このため、ロックスプリング１６は全体が撓むように作用し、応力を分散させることができるので、ロックスプリング１６の劣化を防止することができる。
【００１９】
他方の内面板１０の一端には、その外周の一部が切り欠かれて挿入溝１４に挿入可能に形成された係合片１３が内周面１０ａの沿うように円弧状に延設されており、その先端にはロック片１８に係合可能な爪部１３ａが外周方向に突出するように設けられている。また、この係合片１３の末端には当接片１５ａと当接する係止部２０が設けられている。この係止部２０は当接片１５ａに半径方向で重複して係合する防御片２１を有する凹状部の底面に設けられ、当接片１５ａと係止部２０が当接することによって略Ｓ字状の接合部３２が形成される。そのため、その接合部３２から針金のような細い部材を差し込んだとしても当接片１５ａに阻まれるので、ロック片１８を操作することはできないようになっている。また、この係合片１３が形成された内面板１０の他端には軸ピン２３によって外面板１１の軸孔２４と回動可能に軸支される連結孔２２が設けられている。なお、ロック部４は係合片１３、ロック片１８及びロックスプリング１６によるロック機構によって構成される。
【００２０】
上記した内面板９に固定される外面板１１は、その一端が係合端１５と共同して、係合片１３を挿入可能な挿入溝１４を構成するように係合端１５よりも幅広に形成され、その先端が他方の外面板１２の先端に形成された切欠端１２ｂに一致するように形成されている。また、この外面板１１の他端には内面板１０の連結孔２２と軸ピン２３によって可動可能に連結される軸孔２４が設けられ、外面板１１は内面板９よりも長く形成されている。一方、他方の外面板１２は係合片１３と軸孔２２が外面板１２の両端から露出するように内面板１０よりも短く形成されている。
【００２１】
また、図３に示すように上記した内面板９の凹溝１９に回動可能に装着されるロック片１８は凹溝１９に回動可能に嵌合する円状部１８ａと、その円状部１８ａの接線方向に突出された先端部１８ｂによって略扇状に形成され、その先端部１８ｂにはロックスプリング１６によって内周９ａ方向に付勢される突部１８ｃが設けられている。また、ロック片１８の先端部１８ｂの反対側の端部に規制部１８ｄが円状部１８ａから半径方向に突出するように設けられている。この規制部１８ｄはロックスプリング１６によって先端部１８ｂが付勢されたときに凹溝１９の保持部１９ａに当接して先端部１８ｂを円状部１８ａの回転中心の水平線に対して鋭角（本実施例では約１５度）で挿入溝１４内に突出するように構成されている。すなわち、ロック片１８の先端部１８ｂにかかる負荷を規制部１８ｄと保持部１９ａで受けるようにすることにより、ロック片１８の先端部１８ｂには曲げ応力をほとんどかかることはないので、先端部１８ｂが破損することを防止することができる。したがって、スペーサー部材２を無理やり開こうとしてもロック部４が解除されることはできない。
【００２２】
このロック片１８の先端部１８ｂは当接片１５ａから離れた位置に設けられ、円弧状に延設された係合片１３の先端に設けられた爪部１３ａが係合するように構成されているため、接合部３２から離れた位置にロック部４が設けられるようになっている。すなわち、図１（ｂ）に示すように内面板９、１０はロック部４がロック状態のときは外面板１１、１２で覆われるため、スペーサー部材２の側面から接合部３２を見つけられたとしても、どこにロック部４があるのかを判断することはできない。
【００２３】
次に、このスペーサー部材２の組み付けについて説明する。まず、外面板１１に内面板９を重ねるようにしてロック片１８とロックスプリング１６を凹溝１９とＵ形溝１７にそれぞれ装着する。このとき、ロックスプリング１６の短い一端をＵ形溝１７に係合させると共に延長された長い他端をロック片１８の突部１８ｃに当接させる。そうすることにより規制部１８ｄが保持部１９ａに当接し、係合片１３の爪部１３ａと係合可能に先端部１８ｂが挿入溝１４に向かって突出する。
【００２４】
そして、内面板１０の連結孔２２と外面板１１に形成された軸孔２４に軸ピン２３を挿通させて連結する。このとき、図３に示すように挿入溝１４と係合片１３とを離間させて、内面板９、１０を位置させる。そして、外面板１１を内面板９に一体的に装着することにより、一対の内面板９、１０が外面板１１を介して相互に軸ピン２３を支点として同一平面上で可動可能に軸支されることになる。このように内面板１０の連結孔２２を外面板１１の軸孔２４で挟み込むようにして連結することによって、スペーサー部材２を円板状に形成することができる。なお、組み付けるときに外面板１２を先に内面板１０に一体的に固定しておいてもよく、組み付け後には挿入溝１４に係合片１３が不用意に係合しないように係合片１３に図示しないゴムキャップ等を被せておくことが望ましい。
【００２５】
内面板９、１０と外面板１１、１２は、それぞれ任意に設けられたピン穴２５に棒状の鋼材で形成された固定ピン２６を貫通させて、その両端をカシメることによって一体的に固定されている。
【００２６】
さらにスペーサー部材２には図１及び図４に示すようにカバー部材７と扉面５ａの隙間量がスペーサー部材２の厚みよりも大きいときにスペーサー部材２に取り付けて厚さを調整する補助部材２７、２８が別部材として設けられている。この補助部材２７、２８は樹脂成型によって外面板１１、１２に一致するように湾曲した略半円弧状に形成され、外面板１１、１２を覆うように取り付けられる。また、補助部材２７、２８にはスペーサー部材２の外周の覆う側壁部２７ａ、２８ａが設けられている。補助部材２７、２８はスペーサー部材２のロック部４が係合しない状態で取り付ける必要があるため、それぞれ分割されて設けているが、分割した補助部材２７、２８をスペーサー部材２のように回転可能に連結して取り付けられるようにしてもよい。
【００２７】
そして、補助部材２７、２８をスペーサー部材２に取り付ける場合には、スペーサー部材２をシリンダ錠６に取り付ける前にロック部４を解除させた状態で、外面板１１、１２の表面に両面テープ等によって一体的に接着しておけばよい。また、補助部材２７、２８は図４に示すようにカバー部材７側に取り付けることによって、補助部材２７、２８を不正に剥がすことを困難とすることができると共に、扉面５ａにスペーサー部材２が露出して外観を損ねないようにすることができる。さらにロック状態のときには、図１（ｃ）に示すように補助部材２７、２８でスペーサー部材２を覆うことによって、係合部３２を隠すことができるので防犯性を向上させることができる。
【００２８】
なお、補助部材２７、２８は扉厚に応じて生じる隙間量に対応できるように数種の厚みを有するように設けることが望ましい。本実施例では図６（ａ）〜図６（ｃ）に示すようにｔ＝１ｍｍ、２ｍｍ、３ｍｍの厚みを有するように構成した。また、外面板１１、１２も同様に数種の厚みを設定すれば、補助部材２７、２８との組み合わせによって、防犯スペーサー１を隙間量に応じて厚みを自由に調整させることができる。
【００２９】
次に、シリンダ錠６に防犯スペーサー１を取り付ける場合について説明する。図４（ａ）に示すようにシリンダ錠６に取り付ける場合にはカバー部材７を摘み、図示しない圧縮バネに抗して扉面５ａから引き上げる。このとき、扉面５ａとカバー部材７の間に生じる隙間量に応じてスペーサー部材２に補助部材２７、２８を選択して取り付けておく。そして、その隙間に防犯スペーサー１を挿入し、シリンダ錠６のシリンダ外筒６ａに防犯スペーサー１の一方を引っ掛けるようにして挟みこみ、軸ピン２３を中心に回転するように他方を周方向に可動させてロック部４を係合させればよい。防犯スペーサー１は内面板９、１０が外面板１１、１２に軸支されて同一平面上で回動するので、引っ掛かりがなくスムーズに回転させることができる。また、ロック片１８はロックスプリング１６で付勢力されているだけであるので、ロック部４を意識することなく容易に係合させることができる。
【００３０】
ロック部４を係合させてしまうとシリンダ錠６を取り外さない限り、防犯スペーサー１は外すことはできない。当接片１５ａと防御片２１の隙間から細い針金等を差し込んだとしても、当接片１５ａと防御片２１が半径方向に重複するように係合して、接合部３２が略Ｓ字状に形成されるので、細い針金等をロック片１８に到達させることはできず、不正に外部からロック片１８を解除させることはできない。また、無理やりスペーサー部材２のロック部４を引き離そうとしてもロック片１８に爪部１３ａが円周方向で係合することにより、規制部１８ｄが保持部１９ａに当接して負荷を受けるように構成されているので、容易にロック片１８を破壊して防犯スペーサー１を無理やり取り外すことはできない。ロック片１８はロックスプリング１６により係合片１３に係合する方向に付勢されており、外面板１１によって挟みこまれているため、外部から衝撃を受けてもロック片１８が解除されることはない。
【００３１】
なお、防犯スペーサー１を取り外すには、シリンダ錠６を扉錠８から取り外し、シリンダ錠６を防犯スペーサー１の貫通孔２ａから引き抜くようにして取り外せばよい。なお、ロック片１８の位置する外面板１１の表面に図示しない取り外し用の孔等を設け、針金等でロック片１８操作してロック解除可能としてもよいが、防犯性を低下させる恐れがあるため、好ましいものではない。なお、この場合には取り外し用の孔等が設けられる外面板１１の表面に補助部材２７、２８を取り付けるようにする。
【００３２】
また、図６に示すようにシリンダ錠６が扉錠８のフロント板８ｂの裏側から扉錠８の正面に設けられた小孔８ｃから固定ピン３１が挿通されることによって扉錠８に一体的に取り付けられるものである場合には、シリンダ外筒６ａに固定部６ｂが半径方向に突出して設けられているため、図１乃至図３に示すようにスペーサー部材２の内周に挿通凹部２９を設け、シリンダ外筒６ａの後端からスペーサー部材２を引き抜けるようにする必要がある。そのため、挿通凹部２９を塞ぐように係合する内壁面３０を補助部材２７、２８の内周に設けることによって、挿通凹部２９から扉錠８を不正に操作されることを防止する。この挿通凹部２９を内壁面３０に係合させることによって、補助部材２７、２８の側壁部２７ａ、２８ａが破壊されたとしても、補助部材２７、２８をスペーサー部材２から引き剥がして引き抜くことを困難とすることができるので防犯性を低下させることはなく、逆に防犯性を向上させることができる。なお、スペーサー部材２をシリンダ錠６から引き抜く場合には、シリンダ錠６を扉錠８から取り外せばスペーサー部材２をずらして補助部材２７、２８を剥がすことができるので、挿通凹部２９から固定部６ｂを挿通させてシリンダ錠６からスペーサー部材２を引き抜けばよい。
【００３３】
【発明の効果】
以上の説明から明らかなように、本発明によれば、一端部を可動可能に連結され、前記シリンダ錠を挿通可能な貫通孔を形成するように湾曲して形成された一対の板状部材から構成されている略半円弧状のスペーサー部材と、前記スペーサー部材の他端部に設けられ、他端部を相互に係合可能なロック機構を有するロック部とにより構成され、前記シリンダ錠を前記扉面に取り付けた状態で前記カバー部材を前記扉面から離す方向にスライドさせて、前記カバー部材と前記扉面の間に前記ロック部を係合することにより、前記シリンダ錠の前記シリンダ外筒に取り付け可能としたので、既に扉に取り付けられているシリンダ錠を取り外すことなく、カバー部材と扉面の間に簡単に取り付けることができる防犯スペーサーを提供することができる。
【００３４】
また、前記スペーサー部材は一対の板状部材である内面板と、前記内面板の表面に一体的に固着された外面板と、前記ロック部が係合したときに当接する前記内面板の接合部とで構成され、前記内面板と前記ロック部を前記外面板で覆うと共に、前記ロック部を前記接合部から離れた位置に設けることによって、内面板とロック部は外面板で覆われて隠されるため、ロック部がスペーサー部材のどの位置に設けられているかを容易に判断できないようにすることができる。
【００３５】
そして、前記接合部は相互に半径方向で重複して当接するように前記内面板の他端部に設けることによって、内面板の先端が当接している接合部から、針金等の細い部材によってロック部を解除されることを防止することができる。
【００３６】
さらに、前記スペーサー部材の表面に取り付け可能に湾曲して形成された一対の板状部材から構成されている補助部材を設け、前記補助部材は前記ロック部を係合させない状態で前記スペーサーに取り付け可能に分割して形成したことにより、扉に異なって生じる扉面とカバー部材との隙間量にあわせて防犯スペーサーの厚さを簡単に対応させることができる。
【図面の簡単な説明】
【図１】（ａ）は本実施例に係る防犯スペーサー１の解除状態を示す分解斜視図、（ｂ）は補助部材２７、２８を取り付けていない場合のロック状態を示す斜視図、図１（ｃ）は補助部材２７、２８を取り付けた場合のロック状態を示す斜視図である。
【図２】上記スペーサー部材２の分解斜視図である。
【図３】外面板１１の一方を取り外し、ロック部４を露出させた（ａ）はスペーサー部材２の解除状態を示す一部断面図、（ｂ）は、そのロック状態を示す一部断面図、（ｃ）はスペーサー部材２に補助部材２７、２８を取り付けた場合のロック部４がロック状態における一部断面図ある。
【図４】（ａ）は扉面５ａとシリンダ錠６のカバー部材７との間に防犯スペーサー１が取り付けられる前の状態を示す斜視図、（ｂ）は防犯スペーサー１をシリンダ錠６に引っ掛けた取り付け途中の状態を示す斜視図、（ｃ）は取り付けた後の状態を示す斜視図である。
【図５】厚さが異なるスペーサー部材２を示す斜視図である。（ａ）は厚さが１ｍｍ、（ｂ）は厚さが２ｍｍ、（ｃ）は厚さが３ｍｍのものを示す。
【図６】シリンダ錠６からスペーサー部材２を取り外したときの分解斜視図である。
【図７】（ａ）は本発明の従来技術におけるシリンダ錠５０が取り付けられた扉５２の斜視図、（ｂ）はそのシリンダ錠５０に取り付けられたカバー部材５１が引き上げられた状態の斜視図、（ｃ）はそのシリンダ錠５０に化粧板５６が設けられた分解斜視図、（ｄ）は従来の防犯スペーサーの一例を示す斜視図。
【符号の説明】
１　防犯スペーサー
２　スペーサー部材
２ａ　貫通孔
４　ロック部
５ａ　扉面
５ｂ　シリンダ錠挿入孔
６　シリンダ錠
６ａ　シリンダ外筒
７　カバー部材
９、１０　内面板
１１、１２　外面板
２７、２８補助部材
３２　接合部
【図１】
2004137828.tif 000003
【図２】
2004137828.tif 000004
【図３】
2004137828.tif 000005
【図４】
2004137828.tif 000006
【図５】
2004137828.tif 000007
【図６】
2004137828.tif 000008
【図７】
2004137828.tif 000009